(57)【特許請求の範囲】
【請求項１】
矩形のフレームと、
前記フレームの短手方向に沿って列になるように配置される複数のローラであって、複数の列が前記フレームの長手方向に間隔を空けて並列に配置される、複数のローラと、
前記フレームの長手方向に延びる複数の板であって、前記フレームの短手方向に互いに連結されるとともに、複数の前記ローラ上に支持されて、前記フレームの短手方向に一体となって往復移動可能にされている、複数の板と、
を備え、
少なくとも一部の列の前記ローラは、前記フレームの短手方向に沿って千鳥状に２列に配置され、各板は千鳥状に配置された２列の前記ローラの両方に支持されるようになっている、介護ベッド。
【請求項２】
矩形のフレームと、
前記フレームの短手方向に沿って列になるように配置される複数のローラであって、複数の列が前記フレームの長手方向に間隔を空けて並列に配置される、複数のローラと、
前記フレームの長手方向に延びる複数の板であって、前記フレームの短手方向に互いに連結されるとともに、複数の前記ローラ上に支持されて、前記フレームの短手方向に一体となって往復移動可能にされている、複数の板と、
を備え、
複数の前記板を連結するベルトは、その両端部が互いに連結されて環状に形成されるとともに、前記ベルトに張力を付与するためのテンションプーリーをさらに備える、介護ベッド。
【請求項３】
少なくとも一部の前記ベルトを拘束することで複数の前記板の移動を拘束するブレーキ部材と、踏み込む動作によって前記ブレーキ部材による前記ベルトの拘束を解除するようにされているペダル部材と、をさらに備える、請求項２に記載された介護ベッド。
【請求項４】
少なくとも一部の前記板には、下方に突出したストッパ部材がさらに設置されるとともに、前記フレームには、前記ストッパ部材に対向するストッパ受け部材がさらに設置される、請求項１乃至請求項３のいずれか一項に記載された介護ベッド。
【請求項５】
複数の板のうち、前記フレームの短手方向に往復移動しても、常に前記フレームの上方の範囲にある中央寄りの一部の前記板は、他の前記板よりも短手方向の幅が広く形成されている、請求項１乃至請求項４のいずれか一項に記載された介護ベッド。
【請求項６】
複数の前記板の断面形状は、下側の隅角部が面取りされた台形状に形成されている、請求項１乃至請求項５のいずれか一項に記載された介護ベッド。
【発明の詳細な説明】
【技術分野】
【０００１】
本発明は、被介護者の移動を容易にする介護ベッドに関するものである。
【背景技術】
【０００２】
従来から、介護においては、ベッドの上で被介護者を移動させたり、シーツを交換したりする作業は、介護者にとって大きな負担となっている。そのため、例えば、特許文献１の介護ベッドでは、ベッドの両側に配置した巻取りロ−ラと、その巻取りロ−ラ間に平行に配置した複数の昇降ロ−ラとで構成され、昇降ロ−ラによりシ−トの面形状をベッド幅方向に変化させることができるようにしている。
【先行技術文献】
【特許文献】
【０００３】
【特許文献１】特開２００４−２６１４３５号公報
【発明の概要】
【発明が解決しようとする課題】
【０００４】
しかしながら、特許文献１に記載された介護ベッドでは、昇降ローラの上面に凹凸が生じるため、ベッド上で長時間を過ごす被介護者にとって快適なものではなかった。
【０００５】
そこで、本発明は、被介護者にとって快適であり、かつ、介護者の負担を軽減することのできる、介護ベッドを提供することを目的としている。
【課題を解決するための手段】
【０００６】
前記目的を達成するために、本発明の介護ベッドは、矩形のフレームと、前記フレームの短手方向に沿って列になるように配置される複数のローラであって、複数の列が前記フレームの長手方向に間隔を空けて並列に配置される、複数のローラと、前記フレームの長手方向に延びる複数の板であって、前記フレームの短手方向に互いに連結されるとともに、複数の前記ローラ上に支持されて、前記フレームの短手方向に一体となって往復移動可能にされている、複数の板と、を備えている。
【発明の効果】
【０００７】
このように、本発明の介護ベッドは、矩形のフレームと、フレームの短手方向に沿って列になるように配置される複数のローラであって、複数の列がフレームの長手方向に間隔を空けて並列に配置される、複数のローラと、フレームの長手方向に延びる複数の板であって、フレームの短手方向に互いに連結されるとともに、複数のローラ上に支持されて、フレームの短手方向に一体となって往復移動可能にされている、複数の板と、を備えている。このような構成であるから、被介護者にとって快適であり、かつ、介護者の負担を軽減することのできる、介護ベッドとなる。
【図面の簡単な説明】
【０００８】
【図１】実施例の介護ベッドの斜視図である。
【図２】実施例の介護ベッドの断面図である。
【図３】実施例の介護ベッドのローラと板の配置を説明する平面図である。
【図４】千鳥状に２列に配置されたローラの側面図である。
【図５】ストッパの構造を説明する側面図である。
【図６】ブレーキの構造を説明する側面図である。
【発明を実施するための形態】
【０００９】
以下、本発明の実施の形態について図面を参照して説明する。ただし、以下の実施例に記載されている構成要素は例示であり、本発明の技術範囲をそれらのみに限定する趣旨のものではない。
【実施例】
【００１０】
（構成）
まず、図１の斜視図、図２の断面図、及び図３の平面図を用いて本実施例の介護ベッド１の全体構成を説明する。介護ベッド１は、平面形状が矩形のフレーム２と、このフレーム２の上面部（２１）及び側面部（２２）に設置されている複数のローラ３０、・・・と、複数のローラ３０、・・・の上に支持される、複数の板４０、・・・と、を備えている。なお、実際に被介護者が使用するときには、マット９０等が板４０、・・・を覆うように配置される。
【００１１】
フレーム２は、平面形状が矩形（長方形）に形成された、所定の幅・長さ・高さを有する枠体である。フレーム２の上面部２１と側面部２２は、例えば合板等の板部材から形成されており、後述する複数のローラ３０、・・・が設置されている。さらに、フレーム２の上面部２１の短手方向の端部には、後述するストッパ部材６１に対向する位置に、ストッパ受け部材６２が設置されている。
【００１２】
加えて、フレーム２の下部には、張力調整機構Ｔやブレーキ機構Ｂ（後述）が配置されている。張力調整機構Ｔは、図２に示すように、ベルト５が掛け回されるプーリー２３、２３と、テンションプーリー２４と、から構成されている。したがって、ベルト５には、適度な張力が付与されるようになる。
【００１３】
（ローラの構成）
複数のローラ３０、・・・は、フレーム２の上面部２１及び側面部２２に、複数列になって配置されている。すなわち、図３の平面図に示すように、複数のローラ３０、・・・は、１列に並んで配置された一般部ローラ３０Ａと、千鳥状に２列に配置された千鳥部ローラ３０Ｂと、から構成されている。
【００１４】
換言すると、千鳥部ローラ３０Ｂは、隣接する２つの千鳥部ローラ３０Ｂ、３０Ｂの回転軸３１、３１が、長手方向にずれて配置されることで、隣接する２つの千鳥部ローラ３０Ｂ、３０Ｂが互いに近づいて本体部３２、３２が重なり合うようにされている。したがって、図４の側面図に示すように、１枚の板４０が、常に２つの千鳥部ローラ３０Ｂ、３０Ｂの両方に支持されるようになっている。
【００１５】
複数のローラ３０、・・・の平面的な配置は、例えば図３の平面図に示すように、フレーム２の長手方向の両端縁近傍と、中央線の近傍と、に配置される複数の１列に整列された一般部ローラ３０Ａ、・・・と、長手方向の３等分した線の近傍の２か所の千鳥部ローラ３０Ｂ，３０Ｂと、から構成されている。なお、実際のローラ３０、・・・の配置は、ここで説明したものに限定されるものではなく、ローラ３０、・・・の配置はどのようなものであってもよい。
【００１６】
（板の構成）
複数の板４０、・・・は、フレーム２の長さと略同様の長さを有する細長い長方形の板であり、通常の状態ではフレーム２の上面部２１に短手方向に隙間を空けて並ぶように配置されている。具体的には、複数の板４０、・・・は、短手方向の中央寄りの幅広の板４０Ａと、端部寄りの複数の幅狭の板４０Ｂ、・・・と、から構成されている。これらの複数の板４０、・・・は、複数のローラ３０、・・・の上に載置されていることによって、フレーム２の短手方向に往復移動可能となっている。
【００１７】
中央寄りの板４０Ａは、板４０、・・・の全体がフレーム２の短手方向に往復移動しても、常にフレーム２の上面部２１の範囲に載置される範囲にある。さらに、後述するように、この中央寄りの幅広の板４０Ａの下部には、後述するようにストッパ機構Ｓを構成するストッパ部材６１がさらに設置されている。
【００１８】
板４０（４０Ａ、４０Ｂ）の断面形状は、図４の側面図に示すように、下側の隅角部が面取りされた台形状（等脚台形状）に形成されている。これによって、板４０がフレーム２の隅角部を回り込む際に、円滑に回り込むことができるようになっている。
【００１９】
（ベルトの構成）
そして、複数の板４０、・・・は、短手方向に沿って延びるベルト５、５によって互いに連結されている。すなわち、図３の平面図に示すように、複数の板４０、・・・は、フレーム２の長手方向の概略３等分した位置に配置される２本のベルト５、５によって、それぞれ固定されて一体となっている。ベルト５は、例えば合成樹脂や合成ゴム等から長尺の帯状に形成されるものであり、後述するように両端部が連結されていることで、全体として環状となっている。
【００２０】
（ストッパ機構の構成）
そして、本実施例の介護ベッド１には、図５（ａ）、（ｂ）の側面図に示すように、ストッパ機構Ｓが設置されている。ストッパ機構Ｓは、板４０（幅広の板４０Ａ）に下方に突出するように取り付けられたストッパ部材６１と、フレーム２においてストッパ部材６１に対向するように設置されたストッパ受け部材６２と、から構成されている。
【００２１】
より具体的に言うと、ストッパ部材６１は、幅広の板４０Ａの長手方向の端縁において、短手方向の両端部近傍の下面に下方に突出するように取り付けられている。ストッパ受け部材６２は、フレーム２の上面の長手方向の端縁に上面部２１から突出した部位に内向きに取り付けられている。したがって、幅広の板４０Ａが、フレーム２の短手方向の端縁に接近すると、ストッパ部材６１がストッパ受け部材６２と衝突（当接）することによって、幅広の板４０Ａ及び板４０全体の移動が停止（拘束）されるようになっている。
【００２２】
（ブレーキ機構の構成）
さらに、本実施例の介護ベッド１には、図６（ａ）、（ｂ）の側面図に示すように、ブレーキ機構Ｂが設置されている。具体的に言うと、ブレーキ機構Ｂは、ベルト５を挟持する第１ブレーキ部材７１及び第２ブレーキ部材７２と、第１ブレーキ部材７１をバネに抗して押し上げる押上ローラ７３と、支点ローラ７４と、ペダル部材７５と、から構成されている。
【００２３】
したがって、ペダル部材７５を踏み込まなければ、バネの弾性力によって第１ブレーキ部材７１と第２ブレーキ部材７２でベルト５を挟持することで、ベルト５及び板４０、・・・の移動を拘束する。そして、ペダル部材７５を踏み込むと、押上ローラ７３が押し上げられ、第１ブレーキ部材７１がバネに対抗して持ち上げられてベルト５が解放されて、ベルト５及び板４０、・・・の移動が解放される。
【００２４】
（効果）
次に、本実施例の介護ベッド１の奏する効果を列挙して説明する。
【００２５】
（１）上述してきたように、本実施例の介護ベッド１は、矩形のフレーム２と、フレーム２の短手方向に沿って列になるように配置される複数のローラ３０、・・・であって、複数の列がフレーム２の長手方向に間隔を空けて並列に配置される、複数のローラ３０、・・・と、フレーム２の長手方向に延びる複数の板４０、・・・であって、フレーム２の短手方向に互いに連結されるとともに、複数のローラ３０、・・・上に支持されて、フレーム２の短手方向に一体となって往復移動可能にされている、複数の板４０、・・・と、を備えている。このような構成であるから、被介護者にとって快適であり、かつ、介護者の負担を軽減することのできる、介護ベッド１となる。
【００２６】
つまり、複数のローラ３０、・・・の上には複数の板４０、・・・が載置されていることで、表面の凹凸が最小限に抑えられるため、被介護者にとって快適性の高い介護ベッド１となる。さらに、本実施例の介護ベッド１では、複数のローラ３０、・・・を有するため、複数の板４０、・・・を、きわめて小さい力によって往復移動させることが容易である。したがって、例えば、シーツの交換や、被介護者を車イスに載せる際などにおいて介護者の負担を大きく軽減できる。
【００２７】
（２）また、少なくとも一部の列のローラ３０、・・・は、フレーム２の短手方向に沿って千鳥状に２列に配置された千鳥部ローラ３０Ｂとなっており、各板４０、・・・は千鳥状に配置された２列の千鳥部ローラ３０Ｂ、３０Ｂの両方に支持されるようになっている。このような構成であれば、千鳥部ローラ３０Ｂ、・・・の上に載せられた板４０が傾くことがないうえ、ねじり力が作用することもない。さらに、確実に支持点を設置することができるため、板４０の支点間距離（スパン）を短く保持できる。
【００２８】
（３）さらに、複数の板４０、・・・を連結するベルト５は、その両端部が互いに連結されて環状に形成されるとともに、ベルト５に張力を付与するためのテンションプーリー２４をさらに備えることで、よりいっそう軽い力で複数の板４０、・・・を円滑にスライド移動させることができる。
【００２９】
（４）また、少なくとも一部のベルト５を拘束することで複数の板４０、・・・の移動を拘束するブレーキ部材としての第１ブレーキ部材７１及び第２ブレーキ部材７２と、踏み込む動作によってブレーキ部材７１、７２によるベルト５の拘束を解除するようにされているペダル部材７５と、をさらに備えることで、複数の板４０、・・・の固定／移動をペダル部材７５の踏み込みの有無によって切り替え可能となる。したがって、介護者がペダル部材７５を踏みながら、被介護者を手前に引き寄せることで、安全に、かつ、弱い力で被介護者を移動できる。同様に、介護者はペダル部材７５を踏みながら、被介護者を奥に向かって押すこともできる。
【００３０】
（５）さらに、少なくとも一部の板４０Ａ下方に突出したストッパ部材６１らに設置されるとともに、フレーム２は、ストッパ部材に対向するストッパ受け部材６２がさらに設置されることで、側面に回り込んだ板４０、・・・等の自量によって必要以上に板４０、・・・が回転しすぎることを防止できる。
【００３１】
（６）また、複数の板４０、・・・のうち、フレーム２の短手方向に往復移動しても、常にフレーム２の上方の範囲にある中央寄りの一部の板４０Ａは、他の板４０Ｂよりも短手方向の幅が広く形成されていることで、表面の凹凸を抑制し、いっそう被介護者の快適性を向上させることができる。
【００３２】
（７）さらに、複数の板４０、・・・の断面形状は、下側の隅角部が面取りされた台形状に形成されていることでフレーム２の隅角部をスムーズに回り込むことができる。
【００３３】
以上、図面を参照して、本発明の実施例を詳述してきたが、具体的な構成は、この実施例に限らず、本発明の要旨を逸脱しない程度の設計的変更は、本発明に含まれる。
【００３４】
例えば、実施例では特に説明しなかったが、板４０が横方向（短手方向）に移動中に縦方向（長手方向）にずれないように、移動方向を規制するためのガイド（レール）などを設けることもできる。
【符号の説明】
【００３５】
１      ：介護ベッド
２      ：フレーム
２１    ：上面部
２２    ：側面部
２３    ：プーリー
２４    ：テンションプーリー
３０    ：ローラ
３０Ａ  ：一般部ローラ
３０Ｂ  ：千鳥部ローラ
３１    ：回転軸
３２    ：本体部
４０    ：板
４０Ａ  ：板（幅広）
４０Ｂ  ：板（幅狭）
５      ：ベルト
６１    ：ストッパ部材
６２    ：ストッパ受け部材
７１    ：第１ブレーキ部材
７２    ：第２ブレーキ部材
７３    ：押上ローラ
７４    ：支点ローラ
７５    ：ペダル部材
９０    ：マット
Ｂ      ：ブレーキ機構
Ｓ      ：ストッパ機構
Ｔ      ：張力調整機構
【要約】
【課題】被介護者にとって快適であり、かつ、介護者の負担を軽減することのできる、介護ベッドを提供する。
【解決手段】介護ベッド１は、矩形のフレーム２と、フレーム２の短手方向に沿って列になるように配置される複数のローラ３０、・・・であって、複数の列がフレーム２の長手方向に間隔を空けて並列に配置される、複数のローラ３０、・・・と、フレーム２の長手方向に延びる複数の板４０、・・・であって、フレーム２の短手方向に互いに連結されるとともに、複数のローラ３０、・・・上に支持されて、フレーム２の短手方向に一体となって往復移動可能にされている、複数の板４０、・・・と、を備えている。
【選択図】図１【図１】
0006788927.tif 000002
【図２】
0006788927.tif 000003
【図３】
0006788927.tif 000004
【図４】
0006788927.tif 000005
【図５】
0006788927.tif 000006
【図６】
0006788927.tif 000007